(57)【要約】【課題】  商品名や商品の品質，特性などの情報記事を表示するだけでなく、ドーナツ状糸玉を8の字形状に抱持して糸玉の形崩れを防止できる商品ラベルを提供する。【解決手段】  所要長さの帯状シート１の両側端に夫々、挿入部２を形成し、中央部に該挿入部２を挿し込む挿込孔３を形成してなると共に、挿込孔３の両側帯状部の一方の上面側に商品名などを表示する表示部５を、他方の下面側に商品の特性，品質，出所等の情報記事表示部６を配置せしめ、ドーナツ状糸玉に８の字形状に抱着可能ならしめた。【選択図】          図４
0003147834.tif 000002
【実用新案登録請求の範囲】
【請求項１】
ドーナツ状の糸玉に使用する商品ラベルであって、所要長さの帯状シートよりなり、該帯状シートは両側端に夫々挿入部が形成され、中央部に該挿入部を挿し込む挿込孔が形成されていると共に、挿込孔の両側帯状部の一方の上面側には商品名などが表示され、他方の下面側には商品の特性、品質、出所等の説明記事が表示されていることを特徴とする８の字形状に抱着可能な帯状ラベル。
【考案の詳細な説明】
【技術分野】
【０００１】
本考案は特にドーナツ状の糸玉に使用され、糸玉を８の字形状に抱着して商品表示と共に糸玉を抱持し、形崩れを防止するラベルに関するものである。
【背景技術】
【０００２】
商品ラベルは従来、一般に商品の前面に付されて、該商品の商品名や品質、特性などの情報を表示するのに用いられており（例えば特許文献１参照）、ドーナツ状の糸玉においても例外ではなく、上記と同じように従来、糸玉の前面に抱着されて商品名や品質，特性などが表示されている。
【０００３】
そして、これら商品ラベルは上記特許文献１に記載されたラベルと同様、所要大きさの一枚のラベルに商品名や品質，特性などの情報を表示したものが用いられている。
【特許文献１】特開２０００−９８８９７号公報
【考案の開示】
【考案が解決しようとする課題】
【０００４】
しかし、上記の如き一枚のラベルをドーナツ状の糸玉に付して用いるときは、商品名や品質，特性等は表示されるとしても単に付与されているだけであるため糸玉自体が形崩れを起こすことは避けられず、また、糸玉の前面に付すラベルは大きさに限度があり、商品の情報記事を記載するスペースの不足も免れなかった。
本考案は上述の如き実状に鑑み、これに対処すべく帯状のラベル構造の採用を見出すことにより、糸玉を８の字形状に抱持して形崩れを防ぐと共に帯状面積を用いることにより商品情報記事の記載スペースを確保することを目的とするものである。
【課題を解決するための手段】
【０００５】
即ち、上記目的を達成する本考案の特徴は、所要長さの帯状シートの両側端に夫々挿入部を形成し、中央部に該挿入部を挿し込む挿込孔を形成してなると共に、挿込孔の両側帯状部の一方側の上面に商品名などを表示する表示部を、他方側の下面に商品の特性，品質，出所等の情報記事の説明をする説明部を配してなるドーナツ状糸玉を８の字形状に抱着可能な帯状ラベルにある。ここで、ラベルを形成する帯状シートとしては通常 、ラベルに使用される紙シートなどの既知の素材が用いられる。
【考案の効果】
【０００６】
本考案帯状ラベルは、帯状構造であり、帯状シートをその中心部を糸玉の中心孔部に位置させて、糸玉中心孔に通し、その上方側を糸玉の上方より糸玉外表面に沿って彎曲させ、一方、下方側を糸玉の下方向より前記糸と玉外表面とは反対側の外表面に沿って彎曲させて夫々、その端部の挿入部をドーナツ状糸玉の中心孔部に位置する挿込孔に下方又は上方より帯状シート内面側に挿し込むことにより、糸玉外周を両側より抱持することができ、保管，運搬時等においてドーナツ状糸玉が形崩れするのをを防ぐことができると共に、帯状シートには夫々外面に向けて対向的に表示されるように商品名や、商品の品質，特性などの.記事が表示され、しかもこの表示記載のスペースを充分、余裕をもって確保することができるので商品の販売促進において頗る有用な効果を有している。
【考案を実施するための最良の形態】
【０００７】
以下、添付図面を参照し、本考案ラベルの具体的形態を説明する。図１，図２は夫々、本考案帯状ラベルの表面側と裏面側を示し、図において１はラベル本体の帯状シートであり、既知の紙シートなどよりなり、糸玉の大きさによって夫々適応した所要の長さと幅が決められる。そして、この帯状シート１はその中心部において任意形状にて切り込まれた挿込孔３が設けられていると共に、長さ方向の両側端において、夫々、上記挿込孔３に挿し込むための挿入部２，２が設けられている。
【０００８】
また、この帯状シート１は図１，図２に対比して見られるように中心部を挟む両側の帯状部において表裏対向的に一方側の一面には商品名などの商品表示が、他方側の反対面には商品の品質，特性などの情報記事が表示記載されている。勿論、所要の長さと幅を有する帯状シートであり、随時、表裏何れか面に適宜、その他の記事を記載することも可能である。
【０００９】
図３は上記帯状ラベルの使用態様としてドーナツ状糸玉Ａに取り付けた状態を示し、図４は取り付けた上記帯状ラベルの取り付け時の状態、図５は同取り付け時の８の字形状を示している。即ち、これら図に示すように帯状シート１はその中心部の挿込孔３をドーナツ状糸玉Ａの中心孔４に位置せしめるようにして中心孔４内に通し、その上方側を糸玉Ａの上方より糸玉外表面に沿って彎曲させて先端の挿入部２を糸玉の下方より糸玉の中心孔３に挿入して前記中心孔に位置する挿込孔３に挿し込み、一方、帯状シート下方側を下方より前記上方側と対向する反対側の糸玉外表面に沿って彎曲させて先端の挿入部２を糸玉上方より中心孔４内の挿込孔３に挿し込むことによって帯状ラベルが糸玉の外周面に糸玉Ａを抱え込むようにして８の字形状に装着される。なお、挿入部２の挿入孔３への挿し込みに際しては互いに図４，図５の如く相手方の帯状シートの内面側に挿入することが好ましい。
【００１０】
この上下よりの８の字形状の糸玉外表面抱着によって糸玉Ａは帯状ラベルの帯状シート１により確実に抱持され、保管、運搬時の形崩れが防止される。このとき、帯状ラベルを形成する帯状シートには糸玉Ａの両外側の彎曲面に対向して、一方に商品名などの表示部５が、他方に商品の品質，特性などの情報記事の表示部６が配置されるようになっていて、これらの表示は上記糸玉Ａの上下より帯状シートが挿し込まれるとき、夫々糸玉Ａの外表面において外面に顕示され、需要者の視線に触れるようになっている。
【００１１】
なお、上記表裏の表示部５，６は必らずしも商品名の表示が一面に、品質，特性などの表示が他面に記載されることに限られるものではなく、随時、必要な他の情報の記載を妨げるものではない。また、帯状シートの形状も幅と長さを有する帯状であれば種々の意匠的形状を付与することも差し支えない。
【００１２】
かくして、ドーナツ状糸玉について適宜大きさに合わせて帯状ラベルを作成し、前記の如く８の字状に抱持せしめることにより糸玉に対し形崩れを防いで安定して商品ラベルの付与を行なうこととができる。
【図面の簡単な説明】
【００１３】
【図１】本考案に係る帯状ラベルの一面（表面）図である。
【図２】本考案帯状ラベルの他面（裏面）図である。
【図３】本考案帯状ラベルを糸玉に付着した使用状態図である。
【図４】本考案帯状ラベルの組立時の状態を示す正面図である。
【図５】上記図４の平面図である。
【符号の説明】
【００１４】
Ａ：糸玉
１：帯状シート
２：挿入部
３：挿込孔
４：糸玉の中心孔
５：商品名表示部
６：品質，特性等の情報表示部
【図１】
0003147834.tif 000003
【図２】
0003147834.tif 000004
【図３】
0003147834.tif 000005
【図４】
0003147834.tif 000006
【図５】
0003147834.tif 000007